(57)【要約】【課題】既設のブラインドを広告物として活用できる広告又は装飾付きブラインドを提供する。【解決手段】ブラインドＢを閉じたときにスラットＳのうちで隣のスラットが覆い重なり隠れる部分を除いた部分（スラットの全閉状態で重なり隠れない部分）に、全閉状態のスラット幅に切り分けられた広告又は装飾が印刷されたフィルム２を貼り付けて、フィルムがスラットの重なり代部分に貼り付かないようにする。既設のブラインドや、設置場所から取り外して洗浄した後のブラインドに、フィルムを貼り付けて、既設のブラインドに広告や装飾を付ける。広告又は装飾付きブラインド１では、フィルムを貼り替えて広告や装飾を代える。【選択図】図１
0003174107.tif 000002
【実用新案登録請求の範囲】
【請求項１】
スラットの全閉状態で重なり隠れない部分に、全閉状態のスラット幅に切り分けられた広告又は装飾が印刷されたフィルムが貼り付けられていることを特徴とする広告又は装飾付きブラインド。
【請求項２】
前記スラットが、既設のブラインドのスラットであることを特徴とする請求項１に記載の広告又は装飾付きブラインド。
【請求項３】
前記スラットが、設置場所から取り外して洗浄した後のブラインドのスラットであることを特徴とする請求項１又は請求項２に記載の広告又は装飾付きブラインド。
【考案の詳細な説明】
【技術分野】
【０００１】
この考案は、広告や装飾が付けられたブラインドに関し、特に既設のブラインドを広告物として活用できる広告又は装飾付きブラインドに関する。
【背景技術】
【０００２】
広告又は装飾付きブラインドとしては、広告や装飾が焼き付けられた印画紙を、スラット（ブラインドを構成する羽根部材のこと）用の素材シートに貼（は）ってから、素材シートを短冊状に切断して複数枚のスラットを作り、複数枚のスラットを切断前と同じ配列で並べてハンガーレールに取り付けることで、全閉状態のスラット面を広告や装飾に活用できるようにしたものが提案されている（例えば、特許文献１参照）。
【０００３】
別の広告又は装飾付きブラインドとしては、スラットを長尺方向に沿って２つ折りした樹脂片で構成し、樹脂片で図柄や文字が印刷された平面状装飾物を挟んで固定することで、スラットに自由な装飾を施せるようにしたものが提案されている（例えば、特許文献２参照）。
【０００４】
また、別の広告又は装飾付きブラインドとしては、スラットに文字、絵、マークが書かれたブラインドを開閉させることで、街を歩く人から注目されるようにしたものが提案されている（例えば、特許文献３参照）。
【先行技術文献】
【特許文献】
【０００５】
【特許文献１】実開平５−３０３９６号公報（段落０００４，００１６、図１）
【特許文献２】実用新案登録第３１１１８４５公報（段落００１１，００１５、図１）
【特許文献３】特開平３−１９１１９３号公報（作用、効果、第１図）
【考案の概要】
【考案が解決しようとする課題】
【０００６】
しかしながら、前記特許文献１に係る広告又は装飾付きブラインドでは、印画紙が貼られた素材シートを短冊状に切断して作られたスラットを、切断前と同じ配列で並べて製造しているために、図柄がスラットの重なり代分だけ短縮されて見えてしまう。そして、前記特許文献１に係る広告又は装飾付きブラインドのように、風景写真なら短縮されて見えても支障は少ないが、広告の場合にはその印象を損なってしまう。
【０００７】
前記特許文献２に係る広告又は装飾機能付きブラインドでは、２つ折りのスラットで平面状装飾物を挟んで固定しているために、隣り合うスラットで図柄を合わせづらい。そして、前記特許文献２に係る広告又は装飾付きブラインドのように、一つのスラットに収まる図柄なら隣り合うスラットで図柄が合わなくても支障は少ないが、ブラインド全体で一つの図柄を表現したい場合には図柄がずれてしまい、望み通りの図柄を表現できない。
【０００８】
さらに、前記特許文献１に係る広告又は装飾付きブラインドでは、ブラインドが素材シートを短冊状に切断して得た特製のスラットで構成され、また、前記特許文献２に係る広告又は装飾付きブラインドでも、ブラインドが長尺方向に沿って２つ折りした特製のスラットで構成されているために、既設のブラインドに広告や装飾を付けられない。
【０００９】
前記特許文献３に係る広告又は装飾付きブラインドでは、文字、絵、マークをスラットに直接書いているために、書いた文字を容易に代えられない。そして、前記特許文献３に係る広告又は装飾付きブラインドのように、自己の店名を書くのなら文字を容易に代えられなくても支障はないが、定期的に新しい広告に代えることが求められる他人のために行う広告の場合には、前記特許文献３に係る広告又は装飾付きブラインドは向かない。
【００１０】
そこで、この考案では、前記した課題を解決し、既設のブラインドに広告や装飾を付けることができ、容易に新しい広告や装飾に代えることができる広告又は装飾付きブラインドを提供することを目的とする。
【課題を解決するための手段】
【００１１】
前記課題を解決するため、請求項１に係る考案では、スラットの全閉状態で重なり隠れない部分に、全閉状態のスラット幅に切り分けられた広告又は装飾が印刷されたフィルムを貼り付けた。
【００１２】
請求項２に係る考案では、既設のブラインドに対して、そのスラットの全閉状態で重なり隠れない部分に、全閉状態のスラット幅に切り分けられた広告又は装飾が印刷されたフィルムを貼り付けた。
【００１３】
請求項３に係る考案では、設置場所から取り外して洗浄した後のブラインドに対して、そのスラットの全閉状態で重なり隠れない部分に、全閉状態のスラット幅に切り分けられた広告又は装飾が印刷されたフィルムを貼り付けた。
【考案の効果】
【００１４】
請求項１に係る考案によれば、スラットの全閉状態で重なり隠れない部分に、全閉状態のスラット幅に切り分けられた広告又は装飾が印刷されたフィルムを貼り付けたので、ブラインドを全閉状態にしても、広告や装飾の図柄がスラットの重なり代分だけ短縮されて見えてしまうことがなく、図柄の印象を損なうことがない。
【００１５】
また、請求項１に係る考案によれば、広告又は装飾付きブラインドを、広告や装飾が印刷された複数スラット大のフィルムを全閉状態のスラット幅に切り分けてから、スラットの全閉状態で重なり隠れない部分に貼り付けるようにして製造すると、後記するように貼り付けたフィルムをスラットごとに切り分けないことから、刃物でスラットを傷付けるおそれがない。さらに、後記するように貼り付けたフィルムをスラットごとに切り分けないことから、スラットがよれてフィルムが切りにくいこともない。特に、既設のブラインドや設置場所から取り外して洗浄した後のブラインドでは、スラットがよれていることがあることから、フィルムを切り分けてからスラットに貼り付けるようにすると簡単に製造することができる。
【００１６】
逆に、請求項１に係る考案によれば、広告又は装飾付きブラインドを、広告や装飾が印刷された複数スラット大のフィルムを全閉状態のスラットに貼ってから、貼り付けたフィルムをスラットごとに切り分けるようにして製造すると、隣り合うスラットの図柄を合わせる作業をしなくても、自然に隣り合うスラットの図柄を合わせることができる。そのため、ブラインド全体で一つの図柄を表現する場合にも、容易に望み通りの図柄を表現することができる。
【００１７】
さらに、請求項１に係る考案によれば、広告や装飾が印刷されたフィルムをスラットに貼るようにしたので、フィルムを貼り替えることで、容易に新しい広告や装飾に代えることができる。
【００１８】
請求項２に係る考案によれば、既設のブラインドに対して、広告や装飾が印刷されたフィルムを貼るようにしたので、既設のブラインドをそのまま利用することができる。そして、フィルムを剥（は）がすだけで、容易に元の状態のブラインドに戻すこともできる。
【００１９】
請求項３に係る考案によれば、設置場所から取り外して洗浄した後のブラインドに対して、広告や装飾が印刷されたフィルムを貼るようにしたので、フィルムを貼る前にブラインドの埃（ほこり）や油分などを取り除くといった下準備の手間を省くことができる。また、ブラインドの洗浄に合わせてフィルムを貼るようにしたので、広告や装飾の取付けや交換のためだけに、ブラインドを設置場所から取り外し、同じ場所に取り付けるといった手間を省くこともできる。
【００２０】
請求項１から請求項３に係る考案によれば、ブラインドを広告物として活用できるようにしたので、広告板や広告幕のような広告を掲出するための工作物を不要にすることができる。そして、ブラインドは、窓枠に取り付けられた取付金具にブラインドを引っかけるだけで取付けができることから、広告板や広告幕のように屋外に足場を組み立てなくても、容易に広告を掲示することができる。また、ブラインドは、屋内で取付けや取り外しの作業ができることから、天候に影響されることなく作業をすることができる。さらに、広告が屋内に設置されたブラインドに貼り付けられていることから、広告が風雨にさらされて汚れたり破損したりしないために、保守管理の手間を省くこともできる。
【００２１】
また、請求項１から請求項３に係る考案によれば、ブラインドを広告物として活用できるようにしたので、広告を掲出する前にはフラットをたたみ上げた状態やスラットを全開にした状態にしておいて、一斉にスラットを全閉状態にすると、瞬時に広告を掲出することができる。
【００２２】
さらに、請求項１から請求項３に係る考案によれば、ブラインドを広告物として活用できるようにしたので、屋外広告物法に定める屋外広告物（屋外広告物法第２条第１項  この法律において「屋外広告物」とは、常時又は一定の期間継続して屋外で公衆に表示されるものであって、看板、立看板、はり紙及びはり札並びに広告塔、広告板、建物その他の工作物等に掲出され、又は表示されたもの並びにこれらに類するものをいう。）に該当しないものと解される。そのため、都道府県などが屋外広告物法に基づき定める屋外広告物条例の規制の対象とならない可能性がある。
【００２３】
商業的な効果としては、請求項１から請求項３に係る考案によれば、ブラインドを広告物として活用できるようにしたので、ブラインドの所有者、一般に建物の所有者は新たに広告収入を得ることができる。そして、広告収入をブラインドの洗浄費用に充てるようにすると、ブラインドの洗浄にかかる費用負担をなくすこともできるために、建物の所有者はブラインドの洗浄を頼みやすくなる。
【図面の簡単な説明】
【００２４】
【図１】（ａ）は実施形態に係る広告又は装飾付きブラインドの斜視図である。（ｂ）は実施形態に係る広告又は装飾付きブラインドの製造方法を示す模式図であり、スラットの全閉状態で重なり隠れていない部分に、全閉状態のスラット幅に切り分けられた広告又は装飾が印刷されたフィルムを貼り付ける工程を示す模式図である。
【図２】（ａ）は実施形態に係る広告又は装飾付きブラインドの他の製造方法を示す模式図のうち、広告又は装飾が印刷された複数スラット大のフィルムを全閉状態のスラットに貼る工程を示す模式図であり、（ｂ）は実施形態に係る広告又は装飾付きブラインドの製造方法を示す模式図のうち、貼り付けたフィルムをスラットごとに切り分ける工程を示す模式図である。
【図３】（ａ）は実施形態に係る広告又は装飾付きブラインドの斜視図のうち、広告又は装飾付きブラインドを窓枠に取り付けた状態を示す斜視図であり、（ｂ）は実施形態に係る広告又は装飾付きブラインドの斜視図のうち、ラダーコード周りのスラットの拡大斜視図である。
【図４】実施形態に係る広告又は装飾付きブラインドをビル全体の窓に取り付けた状態を示す斜視図である。
【考案を実施するための形態】
【００２５】
まず、この考案の創作の基礎となる事項について簡単に説明する。考案者は、新しい広告媒体として期待を集めるラッピングバスやラッピングカーのフィルム製作から施工までを行っている。そして、考案者は、常に新たな広告媒体を探しており、建物に対して広い面積を占めながら、無模様で淡色であることから殺風景な印象があるブラインドに着目していた。
【００２６】
考案者は、考案者が理事を務める社団法人関東ニュービジネス協議会（東京都港区赤坂１−６−８井上赤坂ビル３階）において、工場に専用の超音波洗浄機を設置し、ブラインドを集配しながらブラインドの洗浄を行う経営者と出会った。そして、考案者は、ブラインドの洗浄が定期的に行われていることを知り、洗浄後のブラインドに簡便に広告を付することができると、ブラインドを広告物として活用できることを見いだし、この考案を創作するに至ったものである。
【００２７】
次に、この考案の実施形態について、適宜図面を参照しながら詳細に説明する。図１の（ａ）は、実施形態に係る広告又は装飾付きブラインドの斜視図である。また、図１の（ｂ）は、実施形態に係る広告又は装飾付きブラインドの製造方法を示す模式図であり、スラットの全閉状態で重なり隠れていない部分に、全閉状態のスラット幅に切り分けられた広告又は装飾が印刷されたフィルムを貼り付ける工程を示す模式図である。
【００２８】
図１の（ａ）に示すように、広告又は装飾付きブラインド１は、スラットＳの全閉状態で重なり隠れていない部分（より詳細には、ブラインドＢを閉じたときにスラットＳのうちで隣のスラットＳが覆い重なり隠れる部分を除いた部分）に、全閉状態のスラットＳ幅（より詳細には、ブラインドＢを閉じたときにスラットＳのうちで隣のスラットＳが覆い重なり隠れる部分を除いた部分の幅）に切り分けられた広告又は装飾が印刷されたフィルム２が貼り付けられている。
【００２９】
ブラインドＢは、市販のブラインドであり、ここでは最も一般的なアルミ製の横型ブラインドである。この考案の実施形態では、ブラインドＢは、洗浄した後のブラインドであるために、ブラインドから埃や油分が取り除かれている。
【００３０】
フィルム２は、その表面に広告や装飾を印刷できるフィルムであり、ここでは住友スリーエム株式会社製のサイン・グラフィックス向けのフィルムである。フィルム２は、フィルム２をブラインドＢから剥がすと元の状態のブラインドＢに戻せるよう、フィルム２をブラインドＢから剥がす際にブラインドＢに糊（のり）が残らず、ブラインドＢを傷めてしまわないような剥離（はくり）性に優れたものを、ここでは住友スリーエム株式会社製のサイン・グラフィックス向け製品から選択した。このように、フィルム２は、ブラインドＢから剥がしてもブラインドＢに糊が残らず、ブラインドＢを傷めることもないために、フィルム２を何度も貼り替えられる。
【００３１】  フィルム２は、複数フラットＳ大、言い換えると少なくとも一枚当たりのスラットＳ幅以上の大きさのもの、ここでは全閉状態のすべてのスラットＳとほぼ同じ大きさ、言い換えるとブラインドＢの製品サイズとほぼ同じ大きさのものである。そして、フィルム２は、その印刷面にあらかじめ広告や装飾、（公序良俗違反につき、不掲載）の文字が印刷されている。この考案の実施形態では、フィルム２は、ラダーコードＬにフィルム２が被（かぶ）さらないように、ラダーコードＬの間隔で、３枚に切り分けられている。
【００３２】
図１の（ｂ）に示すように、広告又は装飾付きブラインド１は、まず、フィルム２を市販のカッターＣ（カッターナイフともいう）で、ラダーコードＬの間隔で切り分けるとともに、全閉状態のスラットＳ幅に切り分けてから、切り分けられたフィルム２をブラインドＢを閉じて平らにしたスラットＳに、ラダーコードＬに被さらないように、貼り付けた。
【００３３】
図２の（ａ）は、実施形態に係る広告又は装飾付きブラインド１’の他の製造方法を示す模式図のうち、広告又は装飾が印刷された複数スラットＳ大のフィルム２’を全閉状態のスラットＳに貼る工程を示す模式図である。また、図２の（ｂ）は、実施形態に係る広告又は装飾付きブラインド１’の他の製造方法を示す模式図のうち、貼り付けたフィルム２’をスラットＳごとに切り分ける工程を示す模式図である。
【００３４】
図２の（ａ）に示すように、広告又は装飾付きブラインド１’は、まず、ブラインドＢを閉じてから、ラダーコードＬの間隔で切り分けたフィルム２’を平らになったスラットＳに、ラダーコードＬに被さらないように、貼り付けた。
【００３５】
図２の（ｂ）に示すように、引き続き、貼り付けたフィルム２’を、市販のカッターＣで、その刃をスラットＳの重なり部分の段差に沿って動かして、スラットＳごとに切り分けた。
【００３６】
図３の（ａ）は、実施形態に係る広告又は装飾付きブラインド１の斜視図のうち、広告又は装飾付きブラインド１を窓枠に取り付けた状態を示す斜視図である。また、図３の（ｂ）は、実施形態に係る広告又は装飾付きブラインド１の斜視図のうち、ラダーコードＬ周りのスラットＳの拡大斜視図である。
【００３７】  図３の（ａ）に示すように、広告又は装飾付きブラインド１を、屋外から広告（公序良俗違反につき、不掲載）の文字が見えるように窓枠に取り付けると、広告が屋外に向けて公衆に表示される。このように、広告又は装飾付きブラインド１は、室内に取り付けられるために、広告が風雨にさらされない。
【００３８】
図３の（ｂ）に示すように、広告又は装飾付きブラインド１を、複数スラットＳ大のフィルム２を全閉状態のスラットＳに貼ってから、貼り付けたフィルム２をスラットＳごとに切り分けて製造するために、フィルム２が点線で示すスラットＳの重なり代部分に貼り付かない。
【００３９】  また、図３の（ｂ）に示すように、広告又は装飾付きブラインド１を、複数スラットＳ大のフィルム２を全閉状態のスラットＳに貼ってから、貼り付けたフィルム２をスラットＳごとに切り分けて製造すると、隣り合うスラットＳの図柄、ここでは上下のスラットＳで（公序良俗違反につき、不掲載）の文字が自然に揃（そろ）う。
【００４０】
さらに、図３の（ｂ）に示すように、この考案の実施形態では、広告又は装飾付きブラインド１を、ラダーコードＬの間隔で３枚に切り分けられたフィルム２をラダーコードＬに被さらないように貼って製造するために、ブラインドＢにフィルム２を貼ってもラダーコードＬが動きにくくなることがない。ここで、図面ではフィルム２がラダーコードＬに被さらないように貼られていることを分かりやすく示すために、フィルム２の間隔を広く空けているところ、実際はラダーコードＬの太さほどフィルム２の間隔をわずかに空ければいいことから、広告の印象を損なうことがない。なお、この考案の実施形態では、ラダーコードＬの間隔で３枚に切り分けられたフィルム２をスラットＳに貼っているところ、一枚のフィルム２をスラットＳに貼ってからラダーコードＬ部分のフィルム２に切れ目を入れるようにしてもかまわない。
【００４１】  図４は、実施形態に係る広告又は装飾付きブラインド１をビル全体の窓に取り付けた状態を示す斜視図である。図４に示すように、広告又は装飾付きブラインド１は、ビル全体の窓に取り付けられていて、ビル全体で一つの広告、ここでは（公序良俗違反につき、不掲載）の文字が屋外に向けて公衆に表示されている。
【００４２】
図４に示すように、広告又は装飾付きブラインド１によってビル全体に一つの広告を表示しているために、フラットＳをたたみ上げた状態やスラットＳを全開にした状態にしておいて、一斉にスラットＳを全閉状態にすると、瞬時に広告が掲出される。
【００４３】
以上、この考案の実施形態について説明したが、この考案は前記実施形態には限定されない。例えば、実施形態に係る広告又は装飾付きブラインド１では、広告の場合について説明したが、装飾でもかまわない。そして、装飾の場合には、広告又は装飾付きブラインド１は、一般に室内から装飾が見えるように窓枠に取り付けられる。さらに、広告又は装飾付きブラインド１は、一面を広告用に他面を装飾用にしてもかまわない。
【００４４】
また、実施形態に係る広告又は装飾付きブラインド１では、設置場所から取り外して洗浄した後の既設のブラインドＢを用いたが、新品のブラインドを用いても、出荷前のブラインドを用いてもかまわない。
【符号の説明】
【００４５】
１  広告又は装飾付きブラインド
２  フィルム
Ｂ  ブラインド
Ｓ  スラット
Ｌ  ラダーコード
Ｃ  カッター
0003174107.tif 000003
【手続補正書】
【提出日】平成23年12月26日(2011.12.26)
【手続補正１】
【補正対象書類名】明細書
【補正対象項目名】００３１
【補正方法】変更
【補正の内容】
【００３１】
フィルム２は、複数フラットＳ大、言い換えると少なくとも一枚当たりのスラットＳ幅以上の大きさのもの、ここでは全閉状態のすべてのスラットＳとほぼ同じ大きさ、言い換えるとブラインドＢの製品サイズとほぼ同じ大きさのものである。そして、フィルム２は、その印刷面にあらかじめ広告や装飾、ここでは「がんばろう！日本」の文字が印刷されている。この考案の実施形態では、フィルム２は、ラダーコードＬにフィルム２が被（かぶ）さらないように、ラダーコードＬの間隔で、３枚に切り分けられている。
【手続補正２】
【補正対象書類名】明細書
【補正対象項目名】００３７
【補正方法】変更
【補正の内容】
【００３７】
図３の（ａ）に示すように、広告又は装飾付きブラインド１を、屋外から広告「がんばろう！日本」の文字が見えるように窓枠に取り付けると、広告が屋外に向けて公衆に表示される。このように、広告又は装飾付きブラインド１は、室内に取り付けられるために、広告が風雨にさらされない。
【手続補正３】
【補正対象書類名】明細書
【補正対象項目名】００３９
【補正方法】変更
【補正の内容】
【００３９】
また、図３の（ｂ）に示すように、広告又は装飾付きブラインド１を、複数スラットＳ大のフィルム２を全閉状態のスラットＳに貼ってから、貼り付けたフィルム２をスラットＳごとに切り分けて製造すると、隣り合うスラットＳの図柄、ここでは上下のスラットＳで「がんばろう！日本」の文字が自然に揃（そろ）う。
【手続補正４】
【補正対象書類名】明細書
【補正対象項目名】００４１
【補正方法】変更
【補正の内容】
【００４１】
図４は、実施形態に係る広告又は装飾付きブラインド１をビル全体の窓に取り付けた状態を示す斜視図である。図４に示すように、広告又は装飾付きブラインド１は、ビル全体の窓に取り付けられていて、ビル全体で一つの広告、ここでは「がんばろう！日本」の文字が屋外に向けて公衆に表示されている。
【手続補正５】
【補正対象書類名】図面
【補正対象項目名】全図
【補正方法】変更
【補正の内容】
【図１】
0003174107.tif 000004
【図２】
0003174107.tif 000005
【図３】
0003174107.tif 000006
【図４】
0003174107.tif 000007